(57)【要約】【課題】  ユーザーがより短時間かつ適切に自分の好みの明るさと色になるように画像を調整することが可能な投写装置等を提供すること。【解決手段】  プロジェクター１０が、画像の明るさおよび色差をユーザーに調整させるための調整画像を生成する調整画像生成部１４０と、ユーザーによる操作情報を入力する入力部１１０と、前記操作情報に基づき、前記明るさの調整値を示す明るさ調整情報と、前記色差の調整値を示す色差調整情報とを生成する調整情報生成部１２０と、前記明るさ調整情報と、前記色差調整情報とに基づき、画像の明るさおよび色を調整する調整部１６０とを含んで構成される。【選択図】  図２
2010252384.tif 000002
【特許請求の範囲】
【請求項１】
画像の明るさおよび色差をユーザーに調整させるための調整画像を生成する調整画像生成部と、
ユーザーによる操作情報を入力する入力部と、
前記操作情報に基づき、前記明るさの調整値を示す明るさ調整情報と、前記色差の調整値を示す色差調整情報とを生成する調整情報生成部と、
前記明るさ調整情報と、前記色差調整情報とに基づき、画像の明るさおよび色を調整する調整部と、
を含むことを特徴とする投写装置。
【請求項２】
請求項１に記載の投写装置において、
キャリブレーション画像に前記調整画像を重ねた合成画像を投写する投写部を含み、
前記投写部は、前記調整部によって調整が行われた場合、前記調整部によって調整された前記合成画像を投写することを特徴とする投写装置。
【請求項３】
請求項２に記載の投写装置において、
階調の異なる複数のキャリブレーション画像を生成するキャリブレーション画像生成部を含み、
前記調整画像生成部は、前記調整画像の一部として、前記キャリブレーション画像の階調をユーザーに選択させるための画像を生成し、
前記入力部は、前記階調の選択に関する情報を入力し、
前記キャリブレーション画像生成部は、前記階調の選択に関する情報に基づき、ユーザーによって選択された階調に応じたキャリブレーション画像を生成し、
前記投写装置は、当該キャリブレーション画像に前記調整画像を重ねて投写することを特徴とする投写装置。
【請求項４】
請求項１〜３のいずれかに記載の投写装置において、
前記色差は、緑と赤との色差および青と黄色との色差であることを特徴とする投写装置。
【請求項５】
請求項１〜４のいずれかに記載の投写装置を複数台用いて並列投写することを特徴とする画像表示システム。
【請求項６】
請求項５に記載の画像表示システムにおいて、
各投写装置を制御するためのリモートコントローラーを含み、
前記リモートコントローラーは、ユーザーの操作に基づき、前記操作情報を各投写装置の前記入力部に入力することを特徴とする画像表示システム。
【請求項７】
投写装置の有するコンピューターを、
画像の明るさおよび色差をユーザーに調整させるための調整画像を生成する調整画像生成部と、
ユーザーによる操作情報を入力する入力部と、
前記操作情報に基づき、前記明るさの調整値を示す明るさ調整情報と、前記色差の調整値を示す色差調整情報とを生成する調整情報生成部と、
前記明るさ調整情報と、前記色差調整情報とに基づき、画像の明るさおよび色を調整する調整部として機能させることを特徴とするプログラム。
【請求項８】
請求項７に記載のプログラムを記憶した、コンピューター読み取り可能な情報記憶媒体。
【発明の詳細な説明】
【技術分野】
【０００１】
本発明は、投写装置、画像表示システム、プログラムおよび情報記憶媒体に関する。
【背景技術】
【０００２】
複数台のプロジェクターを用いて画像を投写する場合、各画像の明るさや色が異なると画像の観察者に違和感を与えてしまう。このような場合、各画像の明るさや色が同じになるように各プロジェクターを調整する必要がある。
【０００３】
例えば、特許文献１では、液晶プロジェクターを２台以上組み合わせて投写するとともに、輝度センサーを用いて各液晶プロジェクターの投写光の輝度値を検出し、基準プロジェクターの輝度値と最低輝度値の差異に基づいて各液晶プロジェクターの投写光の輝度値を補正することが記載されている。
【０００４】
また、特許文献１のようにセンサーを用いる手法だけでなく、ユーザーが調整する手法も存在している。
【０００５】
例えば、特許文献２では、ユーザーが階調、色相、彩度のいずれかのパラメーターを調整するための調整画像を表示し、設定された各パラメーターの調整値に基づいてルックアップテーブルを調整し、当該ルックアップテーブルを用いて画像データに対して色補正処理を施す画像処理装置が記載されている。
【０００６】
また、特許文献２の図５〜図７に記載されているように、従来の調整手法は、Ｒ、Ｇ、Ｂ、Ｃ、Ｍ、Ｙといった色ごとに階調、色相、彩度を個別に調整する手法であった。
【先行技術文献】
【特許文献】
【０００７】
【特許文献１】特開平１０−９０６４５号公報
【特許文献２】特開２００５−２８３８３８号公報
【発明の概要】
【発明が解決しようとする課題】
【０００８】
しかし、特許文献１のようにセンサーを用いる手法の場合、画像の明るさと色をユーザーの好みに合わせて調整することは困難である。
【０００９】
また、特許文献２のように手動で調整する手法では、例えば、Ｇの色相を変化させた場合、色相だけでなく階調（明るさ）も変化してしまうため、明るさを変えずに色相だけを変化させることは困難であった。
【００１０】
また、従来の手法では、色相を変えずに明るさだけを調整することは困難であった。例えば、一般的なユーザーは、色相を変えずに明るさだけを調整するためにはＲＧＢすべてを同じ量だけ調整しなければならないといった知識を有していない。このため、特許文献２のように色ごとに調整する手法では、ユーザーは、自分の好みの明るさと色になるように画像を調整することは困難であった。特に、ユーザーは、複数台のプロジェクターを用いて画像を投写する場合、各プロジェクターの画像を自分の好みの明るさと色になるように調整するために多大な時間が必要であった。
【００１１】
本発明の目的は、ユーザーがより短時間かつ適切に自分の好みの明るさと色になるように画像を調整することが可能な投写装置、画像表示システム、プログラムおよび情報記憶媒体を提供することにある。
【課題を解決するための手段】
【００１２】
上記課題を解決するため、本発明に係る投写装置は、
画像の明るさおよび色差をユーザーに調整させるための調整画像を生成する調整画像生成部と、
ユーザーによる操作情報を入力する入力部と、
前記操作情報に基づき、前記明るさの調整値を示す明るさ調整情報と、前記色差の調整値を示す色差調整情報とを生成する調整情報生成部と、
前記明るさ調整情報と、前記色差調整情報とに基づき、画像の明るさおよび色を調整する調整部と、
を含むことを特徴とする。
【００１３】
また、本発明に係る画像表示システムは、上記投写装置を複数台用いて並列投写することを特徴とする。
【００１４】
また、本発明に係るプログラムは、
投写装置の有するコンピューターを、
画像の明るさおよび色差をユーザーに調整させるための調整画像を生成する調整画像生成部と、
ユーザーによる操作情報を入力する入力部と、
前記操作情報に基づき、前記明るさの調整値を示す明るさ調整情報と、前記色差の調整値を示す色差調整情報とを生成する調整情報生成部と、
前記明るさ調整情報と、前記色差調整情報とに基づき、画像の明るさおよび色を調整する調整部として機能させることを特徴とする。
【００１５】
また、本発明に係る情報記憶媒体は、
コンピューター読み取り可能な情報記憶媒体であって、
上記プログラムを記憶したことを特徴とする。
【００１６】
本発明によれば、投写装置等は、ユーザーによる明るさと色差の調整指示に応じて画像の明るさと色を調整することができる。これにより、ユーザーは、より短時間かつ適切に自分の好みの明るさと色になるように画像を調整することができる。
【００１７】
また、前記投写装置は、キャリブレーション画像に前記調整画像を重ねた合成画像を投写する投写部を含み、
前記投写部は、前記調整部によって調整が行われた場合、前記調整部によって調整された前記合成画像を投写してもよい。
【００１８】
これによれば、キャリブレーション画像が投写されることにより、ユーザーは、当該キャリブレーション画像を観察しながら調整することができるため、より短時間かつ適切に自分の好みの明るさと色になるように画像を調整することができる。
【００１９】
また、前記投写装置は、階調の異なる複数のキャリブレーション画像を生成するキャリブレーション画像生成部を含み、
前記調整画像生成部は、前記調整画像の一部として、前記キャリブレーション画像の階調をユーザーに選択させるための画像を生成し、
前記入力部は、前記階調の選択に関する情報を入力し、
前記キャリブレーション画像生成部は、前記階調の選択に関する情報に基づき、ユーザーによって選択された階調に応じたキャリブレーション画像を生成し、
前記投写装置は、当該キャリブレーション画像に前記調整画像を重ねて投写してもよい。
【００２０】
これによれば、投写装置等は、階調ごとの明るさと色を調整できるため、ユーザーは、より適切に自分の好みの明るさと色になるように画像を調整することができる。
【００２１】
また、前記色差は、緑と赤との色差および青と黄色との色差であってもよい。
【００２２】
緑と赤の組合せおよび青と黄色の組合せは、それぞれ、心理補色の関係にある。したがって、ユーザーは、例えば、複数の画像を対比しながら画像の色を調整する場合、心理補色を対比しながら調整でき、直感的に調整することができるため、より適切に自分の好みの明るさと色になるように画像を調整することができる。
【００２３】
また、前記画像表示システムは、
各投写装置を制御するためのリモートコントローラーを含み、
前記リモートコントローラーは、ユーザーの操作に基づき、前記操作情報を各投写装置の前記入力部に入力してもよい。
【００２４】
これによれば、ユーザーは、各プロジェクターを直接操作することなく、リモートコントローラーを用いて調整できるため、より短時間に自分の好みの明るさと色になるように画像を調整することができる。
【図面の簡単な説明】
【００２５】
【図１】本実施例の画像表示状態を示す図である。
【図２】本実施例のプロジェクターの機能ブロックを示す図である。
【図３】本実施例の画像調整処理の流れを示すフローチャートである。
【図４】本実施例の合成画像を示す図である。
【図５】本実施例の調整パラメーターを示す図である。
【発明を実施するための形態】
【００２６】
以下、本発明をプロジェクターに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２７】
（画像表示システムの説明）
図１は、本実施例の画像表示状態を示す図である。
【００２８】
図１に示すように、本実施例では、ユーザーは、プロジェクター１０−１を用いて画像３０−１をスクリーン２０に投写し、プロジェクター１０−２を用いて画像３０−２をスクリーン２０に投写している。また、ユーザーは、リモコン（リモートコントローラー）４０を用いて各プロジェクター１０を操作することができる。すなわち、本実施例の画像表示システムは、複数のプロジェクター１０−１、１０−２とリモコン４０とを含んで構成されている。なお、プロジェクター１０は、投写装置の一種である。
【００２９】
また、図１に示すように、画像３０−１、３０−２を並べて表示する場合または画像３０−１の近くに画像３０−２を表示する場合、画像３０−１、３０−２の色や明るさが相違すると画像の観察者に違和感を与えてしまう。
【００３０】
本実施例では、ユーザーが明るさと色差を調整することによって各プロジェクター１０から投写される画像３０−１、３０−２の明るさと色を調整することができるように、各プロジェクター１０が構成されている。
【００３１】
次に、このような機能を有するプロジェクター１０の機能ブロックについて説明する。
【００３２】
図２は、本実施例のプロジェクター１０の機能ブロックを示す図である。
【００３３】
プロジェクター１０は、ユーザーによる操作情報等を入力する入力部１１０と、操作情報に基づき、明るさの調整値を示す明るさ調整情報と、色差の調整値を示す色差調整情報を生成する調整情報生成部１２０と、階調の異なる複数のキャリブレーション画像を生成するキャリブレーション画像生成部１３０と、画像の明るさおよび色差をユーザーに調整させるための調整画像を生成する調整画像生成部１４０とを含んで構成されている。なお、本実施例では、調整画像はＯＳＤ(On Screen Display)画像である。
【００３４】
また、プロジェクター１０は、キャリブレーション画像に調整画像を重ねた合成画像を生成する合成画像生成部１５０と、明るさ調整情報と、色差調整情報とに基づき、画像の明るさおよび色を調整する調整部１６０と、調整部１６０によって調整された画像を投写する投写部１９０とを含んで構成されている。
【００３５】
なお、このような機能をプロジェクター１０に実装するためのハードウェアとしては、例えば、以下のものを適用できる。
【００３６】
例えば、入力部１１０としては、赤外入力ポート、ＲＡＭ等、調整情報生成部１２０としては、ＣＰＵ、ＲＡＭ等、キャリブレーション画像生成部１３０、調整画像生成部１４０としては、ＲＯＭ、画像処理回路等、合成画像生成部１５０としては、画像処理回路等、調整部１６０としては、ＲＡＭ、画像処理回路等、投写部１９０としては、光源、液晶パネル、液晶駆動ドライバー等を適用できる。
【００３７】
また、これらの各部は、その一部または全部を、回路のようにハードウェア的に実装してもよいし、ドライバーのようにソフトウェア的に実装してもよい。
【００３８】
さらに、調整情報生成部１２０等としてコンピューターを機能させるためのプログラムを記憶した情報記憶媒体２００からプログラムを読み取って調整情報生成部１２０等の機能をコンピューターに実装させてもよい。
【００３９】
このような情報記憶媒体２００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００４０】
また、情報記憶媒体２００に代えて、上述した各機能を実装するためのプログラム等を、伝送路を介してホスト装置等からダウンロードすることによって上述した各機能を実装することも可能である。
【００４１】
（画像調整処理の流れの説明）
次に、これらの各部を用いた画像調整処理の流れについて説明する。
【００４２】
図３は、本実施例の画像調整処理の流れを示すフローチャートである。
【００４３】
ユーザーは、画像の調整を行う前に、各プロジェクター１０にＩＤを割り当てる（ステップＳ１）。より具体的には、例えば、ユーザーは、プロジェクター１０の操作パネルまたはリモコン４０の「メニュー」ボタンを押す。プロジェクター１０は当該操作に応じて環境設定メニューを示す画像を投写する。ユーザーは、投写された環境設定メニューからリモコン４０の操作等によって「拡張設定」->「マルチスクリーン」->「スクリーンＩＤ」の順番に選択する。入力部１１０は、当該操作情報を調整画像生成部１４０に出力する。
【００４４】
なお、環境設定メニューは、調整画像生成部１４０によって生成されるＯＳＤ画像の一種である。また、環境設定メニューは階層構造になっており、並列投写、すなわち、「マルチスクリーン」の場合、各プロジェクター１０にＩＤを割り当てるための「スクリーンＩＤ」のほか、画像の明るさと色を調整するための「画像補正」という設定項目もある。
【００４５】
調整画像生成部１４０は、割り当て可能なＩＤ（例えば、１〜９の整数値）の一覧を示す調整画像を生成し、投写部１９０は、当該調整画像を含む画像を投写する。
【００４６】
ユーザーは、リモコン４０または操作パネルの上下キーを操作してＩＤを選択し、「決定」ボタンを押す。ユーザーによって決定されたＩＤを示す情報は、例えば、入力部１１０等に記憶される。
【００４７】
ユーザーは、リモコン４０または操作パネルの「メニュー」ボタンを押して環境設定メニューを終了する。
【００４８】
以上の操作により、ユーザーは、操作対象のプロジェクター１０のリモコン受光部（入力部１１０）にリモコン４０を向け、リモコン４０の「数字」ボタンを押したまま、ＩＤを示す番号ボタン（例えば、ＩＤが２の場合は２）を押すことにより、当該ＩＤのプロジェクター１０のみを操作することができる。すなわち、ユーザーは、１つのリモコン４０で複数のプロジェクター１０を個別に操作することができる。
【００４９】
この機能は、例えば、入力部１１０がリモコン４０からのＩＤを示す情報が記憶済みのＩＤと一致するかどうかを判定し、プロジェクター１０の操作可能状態と操作不能状態を切り替えることによって実現できる。
【００５０】
また、ユーザーは、操作対象のプロジェクター１０のリモコン受光部にリモコン４０を向け、リモコン４０の「数字」ボタンを押したまま、０を示す番号ボタンを押すことにより、すべてのプロジェクター１０を同時に操作することができる。
【００５１】
ユーザーは、すべてのプロジェクター１０を並列表示可能な状態に設置した後、各プロジェクター１０の画像の色と明るさを調整する操作を行う。
【００５２】
まず、ユーザーは、リモコン４０の「メニュー」ボタンを押し、プロジェクター１０によって投写された環境設定メニューから「拡張設定」->「マルチスクリーン」->「画像補正」を選択する。入力部１１０は、当該操作情報をキャリブレーション画像生成部１３０と調整画像生成部１４０に出力する。
【００５３】
プロジェクター１０は、ユーザーによって選択された階調の調整レベルに応じて合成画像を投写する（ステップＳ２）。
【００５４】
図４は、本実施例の合成画像３００を示す図である。
【００５５】
合成画像３００は、キャリブレーション画像３１０と、ＯＳＤ画像である調整画像３２０を含む。
【００５６】
ユーザーは、リモコン４０の上下キーを操作することによって階調選択画像３２２、明るさ調整画像３２４、色差調整画像３２６、色差調整画像３２８、「戻る」のいずれかを選択することができる。例えば、図４に示す状態では、階調選択画像３２２が選択された状態になっている。
【００５７】
そして、ユーザーは、階調選択画像３２２を選択した状態でリモコン４０の左右キーを操作することにより、階調の「調整レベル」を選択することができる。「調整レベル」は、例えば、階調１（黒）、階調２、階調３、階調４、階調５（白）の５階調である。キャリブレーション画像生成部１３０は、入力部１１０からの「調整レベル」の変更を示す情報に基づき、階調を変更したキャリブレーション画像３１０を生成する。なお、「調整レベル」の選択順序は任意である。また、キャリブレーション画像３１０は、白、黒、グレー等の単一色の画像である。
【００５８】
例えば、ユーザーが「調整レベル」で階調１（レベル１）を選択した場合、各プロジェクター１０から階調１のキャリブレーション画像３１０を含む合成画像３００が投写される。ユーザーは、各合成画像３００を見ながら明るさの調整を行う。
【００５９】
例えば、ユーザーは、レベル１（黒）を選択した場合、複数の合成画像３００のうち最も明るい合成画像３００の明るさになるように他の合成画像３００の明るさを調整する。また、ユーザーは、レベル５（白）を選択した場合、複数の合成画像３００のうち最も暗い合成画像３００の明るさになるように他の合成画像３００の明るさを調整する。これらは、いずれも明るさの調整の限界によるものである。なお、レベル２〜４の場合は、ユーザーは、中間の明るさの合成画像３００に合わせて調整してもよい。また、ユーザーが比較を行う部分は合成画像３００のうちのキャリブレーション画像３１０の部分である。
【００６０】
また、ユーザーは、明るさを調整する場合、リモコン４０の上下キーを操作して明るさ調整画像３２４を選択し、リモコン４０の左右キーを操作することによって明るさのパラメーターを調整する。調整情報生成部１２０は、明るさ調整操作に応じて明るさ調整情報を生成し、調整部１６０は、当該明るさ調整情報に基づいて合成画像３００の明るさを調整し、投写部１９０は、明るさの調整された合成画像３００を投写する（ステップＳ３）。
【００６１】
このようにしてプロジェクター１０は、ユーザーの操作に応じて階調ごとにステップＳ２、Ｓ３等の明るさ調整処理を繰り返し実行する。
【００６２】
明るさの調整が終了した場合（ステップＳ４）、ユーザーは、画像の色の調整を行う。
【００６３】
ユーザーは、合成画像３００が投写された状態で、階調選択画像３２２で階調を選択する。
【００６４】
各プロジェクター１０は、選択された階調の調整レベルに応じて合成画像３００を投写する（ステップＳ５）。なお、ステップＳ５の処理はステップＳ２の処理と同じである。
【００６５】
ユーザーは、基準とする合成画像３００と他の合成画像３００を比較して他の合成画像３００が緑っぽいか赤っぽいかを判断する。そして、ユーザーは、他の合成画像３００が緑っぽい場合は赤色が強くなるように色差調整画像３２６を選択してリモコン４０の右キーを押す。また、ユーザーは、他の合成画像３００が赤っぽい場合は緑色が強くなるように色差調整画像３２６を選択してリモコン４０の左キーを押す。なお、これらの操作が行われる場合は上記他の合成画像３００を投写するプロジェクター１０が選択されている。
【００６６】
調整情報生成部１２０は、このような色差調整操作に応じて色差調整情報を生成し、調整部１６０は、当該色差調整情報に基づいて合成画像３００の色を調整し、投写部１９０は、色の調整された合成画像３００を投写する（ステップＳ６）。
【００６７】
なお、ユーザーは、階調ごとに色補正（緑−赤）を行った後、階調ごとに色補正（青−黄）を行う。
【００６８】
このようにしてプロジェクター１０は、色差調整処理が終了するまで（ステップＳ７）、ユーザーの操作に応じて階調ごとにステップＳ５、Ｓ６等の色差調整処理を繰り返し実行する。
【００６９】
（明るさと色の具体的な調整手法の説明）
ここで、本実施例の明るさと色の具体的な調整手法について説明する。
【００７０】
プロジェクター１０は、調整画像３２０で設定された値に基づき、ＲＧＢのガンマカーブを演算する。この演算手順は、１．ＬＵＶをＲＧＢに変換して５階調分のＲＧＢ値を演算、２．中間４階調を補完、３．オーバーフローや大小の逆転があれば補正である。以下、この手順についてより詳細に説明する。
【００７１】
図５は、本実施例の調整パラメーターを示す図である。
【００７２】
例えば、「調整レベル」が５段階の場合、上述した手法では１５個の調整パラメーターが各プロジェクター１０で設定される。
【００７３】
明るさ調整画像３２４での設定では白黒成分を示すパラメーターＬ１〜Ｌ５が設定される。また、色差調整画像３２６での設定では緑赤成分を示すパラメーターＶ１〜Ｖ５が設定される。また、色差調整画像３２８での設定では青黄成分を示すパラメーターＵ１〜Ｕ５が設定される。なお、パラメーターＬ１〜Ｌ５は、明るさ調整情報に該当し、パラメーターＶ１〜Ｖ５、Ｕ１〜Ｕ５は、色差調整情報に該当する。
【００７４】
なお、本実施例における調整画像３２０での階調は最小から最大まで５つに区分されているが、プロジェクター１０の内部では階調は最小から最大まで９つに区分されている。
【００７５】
調整部１６０は、これらのＬＵＶ値に基づき、５階調分のＲＧＢ値を演算する。９階調のＲＧＢ値をそれぞれＲ０〜Ｒ８、Ｇ０〜Ｇ８、Ｂ０〜Ｂ８とし、液晶駆動ドライバー（投写部１９０）はＲＧＢを１０ビットで処理するものとする。
【００７６】
この場合、例えば、R0 = CoefA * L1 + CoefB * U1 + CoefC * V1、G0 = CoefD * L1 + CoefE * U1 + CoefF * V1、B0 = CoefG * L1 + CoefH * U1 + CoefI * V1、R2 = CoefA * L2 + CoefB * U2 + CoefC * V2 + 256、G2 = CoefD * L2 + CoefE * U2 + CoefF * V2 + 256、B2 = CoefG * L2 + CoefH * U2 + CoefI * V2 + 256、R4 = CoefA * L3 + CoefB * U3 + CoefC * V3 + 512、G4 = CoefD * L3 + CoefE * U3 + CoefF * V3 + 512、B4 = CoefG * L3 + CoefH * U3 + CoefI * V3 + 512、R6 = CoefA * L4 + CoefB * U4 + CoefC * V4 + 768、G6 = CoefD * L4 + CoefE * U4 + CoefF * V4 + 768、B6 = CoefG * L4 + CoefH * U4 + CoefI * V4 + 768、R8 = CoefA * L5 + CoefB * U5 + CoefC * V5 + 1024、G8 = CoefD * L5 + CoefE * U5 + CoefF * V5 + 1024、B8 = CoefG * L5 + CoefH * U5 + CoefI * V5 + 1024である。
【００７７】
なお、これらの式にある定数CoefA〜CoefIはＬＵＶ−ＲＧＢの色変換行列の係数である。また、これらの係数としては、例えば、CoefA = 3.00、CoefB = 0.75、CoefC = 0.75、CoefD = 3.00、CoefE = 0.25、CoefF = -1.00、CoefG = 3.00、CoefH = -1.00、CoefI = 0.25を採用してもよい。
【００７８】
このような係数を採用することにより、プロジェクター１０は、Ｌ（明るさ調整画像３２４のパラメーター）の増減で明るさ方向に、Ｕ（色差調整画像３２８のパラメーター）の増減で青黄方向に、Ｖ（色差調整画像３２６のパラメーター）の増減で赤緑方向に色を変化させることができる。
【００７９】
また、Ｒ１、Ｒ３、Ｒ５、Ｒ７等の補完の手法としては種々の手法を採用可能である。例えば、黒側のＲ１を求める場合、Ｒ０とＲ２の平均値を用いてもよいし（手法１）、Ｒ０とＲ２の中間点をＲ１Ａとし、Ｒ２とＲ４を経由する直線上でＲ２とＲ４を１：３に外分する点をＲ１Ｂとし、Ｒ１ＡとＲ１Ｂを２：１で重み付け平均した値、すなわち、R1 = ( 2 * R0 + 5 * R2 - R4 ) / 6を用いてもよい（手法２）。また、黒側のＧ１、Ｂ１、白側のＲ７、Ｇ７、Ｂ７も同様である。例えば、手法２の場合、R7 = ( 2 * R4 + 5 * R6 - R8 ) / 6である。
【００８０】
また、例えば、中央黒側のＲ３を求める場合、Ｒ２とＲ４の平均値を用いてもよいし（手法１）、Ｒ２とＲ４の中間点をＲ３Ａとし、Ｒ４とＲ６を経由する直線上でＲ４とＲ６を１：３に外分する点をＲ３Ｂとし、Ｒ０とＲ２を経由する直線上でＲ０とＲ２を３：１に外分する点をＲ３Ｃとし、Ｒ３Ａ、Ｒ３Ｂ、Ｒ３Ｃを１：１：４で重み付け平均した値、すなわち、R3 = ( - R0 + 7 * R2 + 7 * R4 - R6 ) / 12を用いてもよい（手法３）。また、中央黒側のＧ３、Ｂ３、中央白側のＲ５、Ｇ５、Ｂ５も同様である。例えば、手法３の場合、R5 = ( - R2 + 7 * R4 + 7 * R6 - R8 ) / 12である。
【００８１】
以上の手順により、調整部１６０は、Ｒ０〜Ｒ８、Ｇ０〜Ｇ８、Ｂ０〜Ｂ８を求めることができる。
【００８２】
また、調整部１６０は、Ｒ０〜Ｒ８、Ｇ０〜Ｇ８、Ｂ０〜Ｂ８のいずれかの値が最大値（１０２４）を超えている場合または最小値（０）未満の場合、値が所定範囲（０〜１０２４）内になるように当該階調のＲＧＢすべての値を補正する。
【００８３】
また、調整部１６０は、ＲＧＢそれぞれの値が、０階調から９階調に増えていくに従って増加していない場合、すなわち、大小の関係が逆転している場合、大小の関係が適切になるようにＲＧＢ値を補正する。
【００８４】
以上の手順により、調整部１６０は、適切なＲ０〜Ｒ８、Ｇ０〜Ｇ８、Ｂ０〜Ｂ８を求めることができ、これらのＲＧＢ値をＲＧＢそれぞれ９箇所の出力値を設定可能なルックアップテーブルとして記憶することができる。なお、調整部１６０は、ルックアップテーブルをリアルタイムに、すなわち、調整画像３２０でいずれかの値が変更されるごとに記憶（補正）することができる。
【００８５】
このようなルックアップテーブルに基づいて画像が投写されることにより、画像の明るさおよび色が調整された画像が投写される。
【００８６】
以上のように、本実施例によれば、プロジェクター１０は、ユーザーによる明るさと色差の調整指示に応じて画像の明るさと色を調整することができる。これにより、ユーザーは、より短時間かつ適切に自分の好みの明るさと色になるように画像を調整することができる。特に、図１に示すように、複数のプロジェクター１０−１、１０−２が画像を並列投写する場合、各画像の色と明るさを一致させることができ、プロジェクター１０は、観察者にとって違和感のない画像を投写することができる。
【００８７】
また、プロジェクター１０は、調整画像３２０をＯＳＤ画像としてキャリブレーション画像３１０に重ねて投写することにより、ユーザーは、キャリブレーション画像３１０を観察しながら調整画像３２０で調整することができるため、より短時間かつ適切に自分の好みの明るさと色になるように画像を調整することができる。
【００８８】
また、プロジェクター１０は、階調ごとの明るさと色を調整できるため、ユーザーは、より適切に自分の好みの明るさと色になるように画像を調整することができる。また、プロジェクター１０は、必要となるすべての階調についてユーザーに調整させるのではなく、一部の階調について調整させるとともに、省略した階調については補完処理を行うことにより、より短時間に調整を行うことができる。
【００８９】
また、調整画像３２０で設定される色差は、緑と赤の組合せおよび青と黄色の組合せである。これらの色の組合せは、それぞれ、心理補色の関係にある。したがって、ユーザーは、例えば、複数の画像を対比しながら画像の色を調整する場合、心理補色を対比しながら調整でき、直感的に調整することができるため、より適切に自分の好みの明るさと色になるように画像を調整することができる。
【００９０】
また、本実施例によれば、ユーザーは、各プロジェクター１０を直接操作することなく、リモコン４０を用いて調整できるため、より短時間に自分の好みの明るさと色になるように画像を調整することができる。
【００９１】
なお、本発明は、上述した実施例に限定されず、種々の変形が可能である。
【００９２】
例えば、上述した実施例では、２台のプロジェクター１０−１、１０−２を用いたが、３台以上のプロジェクター１０を用いてもよい。また、１台のプロジェクター１０で画像の色と明るさを調整する場合にも本発明は有効である。
【００９３】
また、プロジェクター１０は、ユーザーによる画像切り替え操作に応じて合成画像３００と通常画像とを切り替えてもよい。例えば、調整部１６０は、リモコン４０からの画像切り替え操作指示情報が入力部１１０に入力された場合、合成画像３００用の画像信号ではなく、通常画像用の画像信号を選択してもよい。
【００９４】
これによれば、ユーザーは、プレゼンテーション時等に使用される通常画像での表示状態を確認しながら画像の明るさ等を調整することができるため、より適切に自分の好みの画像に調整することができる。
【００９５】
また、入力部１１０は、リモコン４０ではなく、プロジェクター１０の操作パネルのボタン操作による指示情報を入力し、調整情報生成部１２０は、当該指示情報に基づいて明るさ調整情報等を生成してもよい。
【００９６】
また、プロジェクター１０は、本体に液晶画面を有している場合、キャリブレーション画像３１０を投写するとともに、調整画像３２０を液晶画面に表示してもよい。
【００９７】
また、プロジェクター１０は、調整画像３２０にキャリブレーション画像３１０の機能を含め、合成画像３００に代えて調整画像３２０のみを投写することによってユーザーに調整を行わせてもよい。
【００９８】
また、本発明を適用可能な投写装置は、プロジェクター１０に限定されず、例えば、プロジェクションＴＶ等であってもよい。また、プロジェクターは、前面投写型のプロジェクター１０に限定されず、背面投写型のプロジェクターであってもよい。また、プロジェクターは、液晶プロジェクターに限定されず、例えば、ＤＬＰプロジェクター、ＣＲＴプロジェクター、ＬＥＤプロジェクター等であってもよい。
【符号の説明】
【００９９】
１０  プロジェクター、２０  スクリーン、４０  リモコン、１１０  入力部、１２０  調整情報生成部、１３０  キャリブレーション画像生成部、１４０  調整画像生成部、１５０  合成画像生成部、１６０  調整部、１９０  投写部、２００  情報記憶媒体、３００  合成画像、３１０  キャリブレーション画像、３２０  調整画像、３２２  階調選択画像、３２４  明るさ調整画像、３２６、３２８  色差調整画像
【図１】
2010252384.tif 000003
【図２】
2010252384.tif 000004
【図３】
2010252384.tif 000005
【図４】
2010252384.tif 000006
【図５】
2010252384.tif 000007
【手続補正書】
【提出日】平成22年7月23日(2010.7.23)
【手続補正２】
【補正対象書類名】明細書
【補正対象項目名】０００１
【補正方法】変更
【補正の内容】
【０００１】
本発明は、投写装置、画像表示システム、プログラム、情報記憶媒体および投写方法に関する。
【手続補正３】
【補正対象書類名】明細書
【補正対象項目名】００１１
【補正方法】変更
【補正の内容】
【００１１】
本発明の目的は、ユーザーがより短時間かつ適切に自分の好みの明るさと色になるように画像を調整することが可能な投写装置、画像表示システム、プログラム、情報記憶媒体および投写方法を提供することにある。
【手続補正４】
【補正対象書類名】特許請求の範囲
【補正対象項目名】全文
【補正方法】変更
【補正の内容】
【特許請求の範囲】
【請求項１】
画像の明るさおよび色差を調整させるための調整画像を生成する調整画像生成部と、
操作情報が入力される入力部と、
前記操作情報に基づき、前記明るさの調整値を示す明るさ調整情報と、前記色差の調整値を示す色差調整情報とを生成する調整情報生成部と、
前記明るさ調整情報と、前記色差調整情報とで表されるＬＵＶ値をＲＧＢ値に変換する色変換行列に基づく演算を行うことによってルックアップテーブルを生成するとともに、前記ルックアップテーブルに基づき、画像の明るさおよび色を調整する調整部と、
を含むことを特徴とする投写装置。
【請求項２】
請求項１に記載の投写装置において、
キャリブレーション画像に前記調整画像を重ねた合成画像を投写する投写部を含み、
前記投写部は、前記調整部によって調整が行われた場合、前記調整部によって調整された前記合成画像を投写することを特徴とする投写装置。
【請求項３】
請求項２に記載の投写装置において、
階調の異なる複数のキャリブレーション画像を生成するキャリブレーション画像生成部を含み、
前記調整画像生成部は、前記調整画像の一部として、前記キャリブレーション画像の階調を選択させるための画像を生成し、
前記入力部は、前記階調の選択に関する情報を入力し、
前記キャリブレーション画像生成部は、前記階調の選択に関する情報に基づき、選択された階調に応じたキャリブレーション画像を生成し、
前記投写装置は、当該キャリブレーション画像に前記調整画像を重ねて投写することを特徴とする投写装置。
【請求項４】
請求項１〜３のいずれかに記載の投写装置において、
前記色差は、緑と赤との色差および青と黄色との色差であることを特徴とする投写装置。
【請求項５】
請求項１〜４のいずれかに記載の投写装置を複数台用いて並列投写することを特徴とする画像表示システム。
【請求項６】
請求項５に記載の画像表示システムにおいて、
各投写装置を制御するためのリモートコントローラーを含み、
前記リモートコントローラーは、ユーザーの操作に基づき、前記操作情報を各投写装置の前記入力部に入力することを特徴とする画像表示システム。
【請求項７】
操作情報が入力される入力部を含む投写装置の有するコンピューターを、
画像の明るさおよび色差を調整させるための調整画像を生成する調整画像生成部と、
前記操作情報に基づき、前記明るさの調整値を示す明るさ調整情報と、前記色差の調整値を示す色差調整情報とを生成する調整情報生成部と、
前記明るさ調整情報と、前記色差調整情報とで表されるＬＵＶ値をＲＧＢ値に変換する色変換行列に基づく演算を行うことによってルックアップテーブルを生成するとともに、前記ルックアップテーブルに基づき、画像の明るさおよび色を調整する調整部として機能させることを特徴とするプログラム。
【請求項８】
請求項７に記載のプログラムを記憶した、コンピューター読み取り可能な情報記憶媒体。
【請求項９】
投写装置が、
画像の明るさおよび色差を調整させるための調整画像を生成し、
前記調整画像を投写し、
操作情報が入力され、
前記操作情報に基づき、前記明るさの調整値を示す明るさ調整情報と、前記色差の調整値を示す色差調整情報とを生成し、
前記明るさ調整情報と、前記色差調整情報とで表されるＬＵＶ値をＲＧＢ値に変換する色変換行列に基づく演算を行うことによってルックアップテーブルを生成し、
前記ルックアップテーブルに基づき、画像の明るさおよび色を調整し、
当該調整した画像を投写する、
投写方法。